(57)【要約】光ディスクのレーベル面から読み取られた情報から光ディスク特性を識別することを開示する。まず、光ディスクのレーベル面から情報を読み取る（８０２）。光ディスクのレーベル面から読み取られたこの情報から、光ディスクの１つまたは複数の特性を識別する（８０６）。
2005521190.tif 000002
【特許請求の範囲】
【請求項１】
光ディスクのレーベル面から情報を読み取るステップ（８０２）と、
前記光ディスクの前記レーベル面から読み取られた前記情報から前記光ディスクの１つまたは複数の特性を識別するステップ（８０６）と、
を含む方法（８００）。
【請求項２】
前記光ディスクの１つまたは複数の特性を識別するステップが、前記光ディスクの前記レーベル面とデータ面とのうちの少なくとも一方の１つまたは複数の特性を識別するステップ（８０６）を含む、請求項１に記載の方法。
【請求項３】
前記光ディスクの１つまたは複数の特性を識別するステップが、前記光ディスクの前記レーベル面とデータ面とのうちの少なくとも一方が書込み禁止されているか否かを識別するステップ（８０６）を含む、請求項１に記載の方法。
【請求項４】
前記光ディスクのレーベル面から情報を読み取るステップが、前記光ディスクの前記レーベル面から反射される信号を読み取るステップ（８１４）を含む、請求項１に記載の方法。
【請求項５】
最初に前記光ディスクのレーベル面に情報を書き込むステップ（８２０）をさらに含む、請求項１に記載の方法。
【請求項６】
前記光ディスクのレーベル面に情報を書き込むステップが、前記光ディスクの前記レーベル面に、関連する基準信号を有する特定のタイプの光ディスクに関連するマークを書き込むステップ（８２０）を含み、
前記光ディスクのレーベル面から情報を読み取るステップが、前記光ディスクの前記レーベル面に書き込まれた前記マークから反射する信号を読み取るステップ（８１４）を含み、
前記光ディスクの１つまたは複数の特性を識別するステップが、前記信号を前記特定のタイプの光ディスクに関連する前記基準信号と照合して、前記光ディスクが前記特定のタイプの光ディスクであるか否かを判断するステップ（８１８）を含む、請求項５に記載の方法。
【請求項７】
前記光ディスクのレーベル面に情報を書き込むステップが、前記光ディスクの前記レーベル面に設定された書込み禁止フィールドと設定されていない書込み禁止フィールドのうちの一方を書き込むステップを含む、請求項５に記載の方法。
【請求項８】
光ディスク（９０２）であって、
データ面と、
前記光ディスクの１つまたは複数の特性を識別するために情報が書き込まれるマーキングまたはイメージング面と、
を備えている光ディスク。
【請求項９】
前記マーキングまたはイメージング面が一部を形成するレーベル面をさらに備えている、請求項８に記載の光ディスク。
【請求項１０】
前記マーキングまたはイメージング面が、前記光ディスクのデータ面の一部である、請求項８に記載の光ディスク。
【発明の詳細な説明】
【背景技術】
【０００１】
コンピュータユーザは、種々の異なる目的のために書込み可能および書換え可能光ディスクを採用する。コンピュータユーザは、保存または配布の目的でディスクにプログラムまたはデータを保存する場合がある。ＣＤタイプのディスクの場合、ユーザは、オーディオＣＤプレイヤーで再生することができる音楽ＣＤを作成するか、または、ＭＰ３ファイル等、専用ＣＤプレイヤーで再生することができる音楽データファイルを、ＣＤに保存する場合がある。ＤＶＤタイプのディスクの場合、ユーザは、ＣＤタイプのディスクより大きい記憶容量が利用可能であり、スタンドアロンＤＶＤプレイヤーで再生することができるビデオＤＶＤを作成することができる場合がある。
【０００２】
多くのタイプの光ディスクが、データ面とレーベル面とを有する。データ面は、データが書き込まれる場所であり、レーベル面は、ユーザが光ディスクにレーベルを付けることができるようにする。不都合なことに、レーベル付けは、専門的でなく、面倒でありかつ／または費用のかかる処理である場合がある。マーカを使用して光ディスクに書き込むことができるが、その結果は、明らかに素人が作成したように見える。また、インクジェットまたは他のタイプのプリンタでプリントすることができる特別なプレカットレーベルも使用可能である。しかしながら、これは面倒な処理であり、レーベルをディスクの上で注意深く位置合せする等を行わなければならない。ディスクに直接プリントする専用プリンタを使用することができるが、かかるプリンタは非常に高価である。
【０００３】
２００１年１０月１１日に出願され米国特許出願第０９／９７６，８７７号が割り当てられた「Ｉｎｔｅｇｒａｔｅｄ  ＣＤ／ＤＶＤ  Ｒｅｃｏｒｄｉｎｇ  ａｎｄ  Ｌａｂｅｌ」と題する特許出願（代理人整理番号１００１１７２８−１）では、これらの問題点に対する解決法を述べており、そこでは、光ディスクにレーベルを付けるためにレーザを使用する。しかしながら、ユーザは、コンピュータ周辺装置において光ディスクを間違って配置する可能性があり、そのためレーザは光ディスクの誤った（データ）面に書き込むよう試みる可能性がある。レーベル付けすることができないディスクを、レーベル付け周辺装置に不注意に挿入する可能性もある。さらに、異なる種類の光ディスクに最適にレーベル付けするために異なる技法を使用する場合もあるが、ユーザは、自身の有する光ディスクの具体的なタイプを知らない可能性がある。
【発明の開示】
【０００４】
本発明の一実施形態の方法は、光ディスクのレーベル面から情報を読み取る。光ディスクのレーベル面から読み取られたこの情報から、光ディスクの１つまたは複数の特性を識別する。本発明のさらに他の態様、実施形態および利点は、以下の詳細な説明を読むことによりかつ添付図面を参照することにより明らかとなろう。
【発明を実施するための最良の形態】
【０００５】
（発明の詳細な説明）
発明の例示的な実施形態の以下の詳細な説明では、その一部を形成し、本発明を実施することができる特定の例示的な実施形態が実例として示されている、添付図面を参照する。これらの実施形態を、当業者が本発明を実施することができるようにするために十分詳細に説明する。他の実施形態を利用してもよく、本発明の精神または範囲から逸脱することなく、論理的、機械的および他の変更を行ってもよい。したがって、以下の詳細な説明は、限定する意味でとられるべきではなく、本発明の範囲は、添付の特許請求の範囲によってのみ規定される。
【０００６】
しるし（indicia）実施形態
図１は、発明のしるし実施形態による方法１００を示す。まず、光ディスクのレーベル面であると想定される光ディスクの面のしるしを検出する（１０２）。光ディスクは、ＣＤタイプ光媒体であっても、ＤＶＤタイプ光媒体であっても、別のタイプの光媒体であってもよい。レーベル面は、マーキングまたはイメージングを行うことができる光ディスクの面である。ＣＤタイプの光媒体の文脈では、それは、通常はデータ面の反対側であり、ＤＶＤタイプの光媒体の文脈では、それはデータ面の反対側であっても、あるいはデータ面の一部として含まれてもよい。光ディスクが回転するに従い、光ディスクの面上のある位置を横切って半径方向にレーザを移動させることにより、しるしを検出してもよく、この場合、しるしはこの位置に配置されている。すなわち、しるしを、光ディスクの固定の半径位置に配置してもよく、レーザは、しるしの位置を特定するまで半径方向に移動することによりしるしを検出し、その後はそれ以上半径方向に移動しない。しるしが光ディスクのレーベル面に存在しない場合、または、不適切に、光ディスクのデータ面がレーザに面している場合、しるしを検出することができない。
【０００７】
しかしながら、しるしが検出された場合、光ディスクからの情報をしるしから読み取る（１０４）。この情報を読み取ることには、光ディスクのレーベル面、光ディスクのデータ面のいずれかまたは両方の特性を識別することが含まれてもよい。たとえば、光ディスクのレーベル面のタイプを含む光ディスクのタイプを識別してもよく、それにより、光ディスクのレーベル面に対する最適な書込みを行うことができる。光ディスクのレーベル面および／またはデータ面が書込み禁止されているか否かを識別してもよい。ディスクのレーベル面に対する最適な書込みのためのレーザに関する仕様を識別してもよい。かかる仕様は、最適な書込みのためにレーザを作動させる強度と、ディスクのレーベル面の所与の点においてレーザを作動させるべき時間と、書込み中に維持される速度と、を含んでもよい。
【０００８】
図２は、本発明の一実施形態の方法１００の実行を示す。図２には光ディスク２０２の一部を示し、そこでは、光ディスク２０２は矢印２０４によって示すように回転している。しるし２０６は、光ディスク２０２の内側の縁に配置されている。しるし２０６を、例示を明確にするために通常のサイズより大きく示す。さらに、しるし２０６を、光ディスク２０２の内側の縁以外の位置に配置してもよい。図２に示すように、しるし２０６は１次元バーコードであるが、２次元バーコード等の他のタイプの符号化データフォーマット等、他のタイプのしるしを使用してもよい。２次元バーコードには、特に、ＰＤＦ４１７、ＭａｘｉＣｏｄｅ、およびＤａｔａＭａｔｒｉｘとして知られるものがある。
【０００９】
レーザは信号２０８を放出し、それはしるし２０６により反射信号２１０として反射される。信号２０８は、ディスク２０２に書込みがもたらされないように十分に低い強度を有する。そして、反射信号２１０を検知する。信号２０８の放出と反射信号２１０の検知とは、２つの目的にかなう。第１に、放出および検知により、しるし２０６を検出することができる。第２に、放出および検知により、しるし２０６に符号化された情報を読み取ることができ、それにより、たとえば光ディスクに関する特性を識別することができる。しるし２０６内の異なるタイプの情報を符号化するために異なるバーコードパターンを使用してもよい。
【００１０】
書込み禁止実施形態
図３は、発明の書込み禁止実施形態による方法３００を示す。方法３００を、図１の方法１００とともに使用してもよい。最初に、光ディスクのレーベル面に事前にレーザ書込みされた少なくとも１つの書込み禁止フィールドを検出する（３０２）。方法１００と同様に、ディスクが回転するに従い、光ディスクの面上のある位置を横切って半径方向にレーザを移動させることにより、書込み禁止フィールド（複数可）を検出し、この場合、書込み禁止フィールド（複数可）はこの位置に配置されている。
【００１１】
検出された書込み禁止フィールド（複数可）に基づき、方法３００は、光ディスクが書込み禁止されているか否かを判断する（３０４）。方法３００は、光ディスクのレーベル面、データ面、またはレーベル面とデータ面との両方が書込み禁止されていると結論を下してもよい。一続きの書込み禁止フィールドがあってもよく、そこでは、検出された最新の書込み禁止フィールドが、光ディスクの書込み禁止状態を示すものである。したがって、必要に応じて、書込み禁止されていないディスクを書込み禁止にするため、または書込み禁止にされたディスクを書込み禁止解除するために、一続きの書込み禁止フィールドにおける最新の書込み禁止フィールドの後に、適当な新たな書込み禁止フィールドを書き込むことができる（３０６）。単一の書込み禁止フィールドしかない場合、かつ追加の書込み禁止フィールドを書き込む余裕がない場合、光ディスクは、一旦書込み禁止にされると、書込み禁止解除することができない。
【００１２】
図４は、本発明の一実施形態の方法３００の実行を例示的に示す。図４には光ディスク４０２の一部を示し、そこでは、光ディスク４０２は、矢印４０４によって示すように回転している。光ディスク４０２の内側の縁に、一続きの書込み禁止フィールド４０６が配置されている。一続きの書込み禁止フィールド４０６を、例示を明確にするために通常のサイズより大きく示す。さらに、一続きの書込み禁止フィールド４０６を、光ディスク４０２の内側の縁以外の位置に配置してもよい。方法３００を方法１００とともに実行する場合、一続きの書込み禁止フィールド４０６は、上述した図２のしるし２０６の一部であってもよい。
【００１３】
図４では、レーザは光ディスク４０２からの読取りおよび光ディスク４０２への書込みを実行するが、レーザによって放出され光ディスク４０２から反射する信号は、例示を明確にするために図４には示していない。光ディスク４０２から一続きの書込み禁止フィールド４０６を読み取るために、十分に低い強度を有する放出信号を使用する。十分に低い強度は、光ディスク４０２への書込みが発生しないというものである。書込み禁止フィールド４０６は信号を反射し、この反射信号を使用して、フィールド４０６を読み取る。比較として、光ディスク４０２に書き込むために、十分に高い強度を有する放出信号を使用する。十分に高い強度は、光ディスク４０２に書込みが発生するようなものである。
【００１４】
図４に示すように、３つの書込み禁止フィールド４０８、４１０および４１２がある。この一続きの書込み禁止フィールド４０６を読み取るが、この場合、最新の書込み禁止フィールド４１２が、光ディスク４０２の書込み禁止状態に関して決定するものである。フィールド４０８および４１０等の陰影付きの書込み禁止フィールドは、光ディスク４０２が書込み禁止されていることを示し、フィールド４１２等の陰影なしの書込み禁止フィールドは、光ディスク４０２が書込み禁止されていないことを示す。最新の書込み禁止フィールド４１２が陰影なしであるため、これは、光ディスク４０２が書込み禁止されていないことを意味する。
【００１５】
光ディスク４０２を後に書込み禁止にするために、書込み禁止フィールド４１２に対し、レーザによりそれが陰影付けされるように書き込むか、または、書込み禁止フィールド４１２の後に、陰影付きの新たな書込み禁止フィールドであるがまだ一続きの書込み禁止フィールド４０６の一部である書込み禁止フィールドを書き込む。このプロセスを、光ディスク４０２の書込み禁止の状態を変更するよう望まれる度に繰り返す。すなわち、光ディスク４２０が目下書込み禁止解除されている場合、その現書込み禁止フィールドに対しレーザにより陰影付けされるように書き込むか、または新たな陰影付きの書込み禁止フィールドを書き込む。光ディスク４０２が目下書込み禁止されている場合、新たな陰影のない書込み禁止フィールドを書き込む。
【００１６】
信号反射実施形態
図５は、本発明の信号反射実施形態による方法５００を示す。図１の方法１００に対しいかなるしるしも検出されない場合に方法５００を使用することができる。方法５００は、まず、レーザに面する光ディスクの面がディスクのデータ面であるか否かを判断する（５０２）。これは、レーザによって信号を放出しディスクによって反射された信号を検知することによって達成することができる。特に、レーザに面する光ディスクの面において、ディスクのデータ面に関連するピットおよびグルーブを検出するか、または、レーザに面する光ディスクの面において、ディスクのデータ面に関連するデータトラックを検出する。方法５００が、ディスクのデータ面がレーザに面していると判断すると（５０４）、光ディスクのレーベル面に関する特性を識別することができないため、エラーを報告する（５０６）。
【００１７】
しかしながら、方法５００が、光ディスクのレーベル面がレーザに面していると判断した場合、レーザによって放出された信号をディスクのレーベル面から反射させる（５０８）。光ディスク媒体のタイプによっては、光ディスクのレーベル面から信号を反射させることは、反射した信号に基づき光ディスクのレーベル面の特性を識別するためには十分である。たとえば、異なるタイプの光ディスクが、それらのレーベル面の特性を識別するために十分な異なる方法で、それらのレーベル面から信号を反射することができる。反射信号の検知は、光ディスクからのフレーズ読取り情報下に含まれる。光ディスク特性が識別可能である場合（５１０）、方法５００は終了し（５１２）、ディスクのレーベル面の特性を正しく識別することができたことになる。
【００１８】
しかしながら、方法５００は、光ディスクのレーベル面の特性を識別することができない場合、光ディスクのレーベル面にマークを書き込む（５１４）。このマークは、ユーザによって偶然に検出されないように十分小さく書き込まれたピクセルであってもよくかつ／または、それを、光ディスクのレーベル面に書き込まれたいかなるイメージをも損ねる可能性のない、ディスクの縁に書き込んでもよい。そして、方法５００は、部分的に繰り返し、再びディスクのレーベル面から信号を反射させる（５０８）。しかしながら、この時、信号は特に、書き込まれたマークから反射する。マークは、信号がマークから反射する時に光ディスクのレーベル面の特性がより容易に識別されるように書き込まれている。このため、ディスク特性が識別可能である場合（５１０）、方法は終了する（５１２）。そうでない場合、異なるマークを書込み（５１４）、プロセスを繰り返す。
【００１９】
たとえば、５１４で書き込まれたマークは、特定の基準反射信号が関連付けられた光ディスクの特定のタイプに関連付けることができる。光ディスクの特定のタイプには、モノクロ、グレイスケール、カラー、書換え可能等、光ディスク媒体のさまざまなタイプと、コンパクトディスク（ＣＤ）、デジタル多用途ディスク（ＤＶＤ）等、光ディスクフォーマットのさまざまなタイプと、が含まれてもよい。５０８においてこのマークから反射した信号が閾値内で基準信号と一致する場合、方法５００は、５１０において、マークが書き込まれた光ディスクがこの特定のタイプの光ディスクであり、ディスクのレーベル面の特性が容易に識別可能であると結論付ける。このプロセスは、符合する反射信号が、調べている光ディスクの特性を識別するまで、基準信号の複数の特定のタイプを有する複数の異なるタイプの光ディスクに対応して、複数の異なるタイプのマークに対して繰り返すことができる。
【００２０】
図６は、本発明の一実施形態の方法５００の５０２の実行を例示的に示す。光ディスク６０２の側面を示す。光ディスク６０２は、データ面６０４とレーベル面６０６とを有する。データ面６０４は、図６には特に示していないレーザに面している。データ面６０４は、光ディスクのデータ面に関連し、かかる光ディスクに書き込まれたデータのデータトラックまたはデータを識別する、複数のピットおよびグルーブ６０８を有する。レーザによって放出された信号６１０は、反射信号６１２としてこれらのピットおよびグルーブ６０８から反射する。そして、反射信号６１２を使用して、ピットおよびグルーブ６０８を検出し、それにより、光ディスク６０２のデータ面６０４がレーザに面していると結論付ける。
【００２１】
図７は、本発明の一実施形態の方法５００の５０８の実行を例示的に示す。図７では光ディスク７０２の一部を示し、そこでは、光ディスク７０２が矢印７０４によって示すように回転している。最初に、レーザは、マークが書き込まれていない光ディスク７０２上の位置７０６に信号７０８を放出する。図７では、位置７０６を、例示を明確にするために通常のものより大きく示しており、位置７０６は、光ディスク７０２上の図７に示すものとは別の場所であってもよい。信号７１０はこの位置７０６から反射し、この信号７１０を使用して、光ディスク７０２のレーベル面の特性を識別することができるか否かを判断する。
【００２２】
光ディスク７０２のレーベル面特性をそのように識別することができない場合、レーザを使用して、光ディスク７０２の位置７１２にマーク７１４を書き込む。図７では、マーク７１４と位置７１２とをともに、例示を明確にするために通常のものより大きく示している。さらに、位置７１２は、光ディスク７０２上において図７に示すものとは別の場所であってもよい。レーザは、位置７１２のマーク７１４に信号７１６を放出し、信号７１８はマーク７１４から反射する。そして、反射信号７１８を使用して、上述したように、光ディスク７０２のレーベル面の特性を識別することができるか否かを判断する。レーベル面特性がまだ識別可能でない場合、レーベル面特性が識別されるまで複数の他のマークを書き込みそれによって信号を反射させてもよい。
【００２３】
統合方法
図８は、本発明の実施形態による、図１、図３、および図５それぞれの方法１００、３００、および５００を統合する方法８００を示す。図８の方法８００以外の、方法１００、３００、および５００を統合する他の方法も可能である。まず、光ディスクのレーベル面であると想定されるものの上のしるしを、レーザを用いて検出しようと試みる（８０２）。しるしが検出されると（８０４）、任意選択的にディスクの書込み禁止状態を含む光ディスクの特性を識別し（８０６）、方法８００を終了する。
【００２４】
そうでない場合、方法８００は、レーザに面している光ディスクの面がそのデータ面であるか否かを判断する（８０８）。それは、８０２においてしるしが検出されなかった可能性があることの１つの理由である。８０２でしるしが検出されなかった可能性があることの他の理由は、光ディスクのレーベル面にかかるしるしがまったく書き込まれていない、ということである。レーザに面している面がディスクのデータ面である場合（８１０）、エラーを報告する（８１２）。しかしながら、ディスクのこの面がデータ面でない場合、これは、光ディスクのレーベル面がレーザに面しているが、レーベル面にしるしが書き込まれていないことを意味する。
【００２５】
したがって、光ディスクのレーベル面から信号を反射させることにより（８１４）、光ディスクの特性を識別する。かかる特性が、ディスクのレーベル面から信号を反射させることのみによって識別可能である場合（８１６）、方法８００は終了する（８１８）。そうでない場合、方法８００は、ディスクのレーベル面にマークを書き込み（８２０）、方法８００は８１４で繰り返す。すなわち、光ディスクのレーベル面の特性が最終的に識別されるまで、マークが書き込まれていないディスクのレーベル面から信号を反射させる等を行う。
【００２６】
図９は、本発明の実施形態によるシステム９００を示す。説明した方法を、システム９００とともに実施することができる。システム９００は、光ディスク９０２を回転可能に載置することができるシート９０６を有する機構９０４を備える。機構９０４は、概して、光ディスク９０２を受け入れ、図９には示さないモータおよび他の部品を備えてもよい。図９では、機構９０４をトレイとして示すが、光ディスク９０２を、トレイ上に配置するのではなく、その中に直接送り込むまたは挿入するようなものであってもよい。
【００２７】
システム９００はまた、レーザ９０８を備える。レーザ９０８は、信号９１０を放出し、ディスク９０２が機構９０４内で回転するに従い光ディスク９０２によって反射される信号９１２を検知する。したがって、レーザ９０８および／またはシステム９００は、光ディスク９０２によって反射される信号９１２を検知または検出するセンサを備えることができる。このため、レーザ９０８は、光ディスク９０２のレーベル面等、光ディスク９０２から情報を読み取りかつ／または光ディスク９０２に情報を書き込むためのものである。
【００２８】
システム９００はまた、コントローラ９１４を備える。コントローラ９１４は、ソフトウェアであっても、ハードウェアであっても、ソフトウェアとハードウェアとの組合せであってもよい。コントローラ９１４は、レーザ９０８を制御する。コントローラ９１４は、レーザ９０８によって読み取られた情報から光ディスク９０２のレーベル面の特性を識別することができる。コントローラ９１４はまた、ディスク９０２を書込み禁止にするように、ディスク９０２にマークを書き込むように等、光ディスク９０２に書き込むようにレーザ９０８に指示することも可能である。
【００２９】
システム９００は、デスクトップまたはラップトップコンピュータ等のコンピュータの一部であってもよい。システム９００を、コンピュータに内部的または外部的に接続可能な筐体内に入れてもよい。図１０は、システム９００が、コンピュータ１００２に内部的に接続された筐体内に入れられる、デスクトップタワーコンピュータ１００２を備える本発明の実施形態によるシステム１０００を示す。比較として、図１１は、システム９００が、コンピュータ１１０２に外部的に接続された筐体内に入れられる、ラップトップコンピュータ１１０２を備えた本発明の実施形態によるシステム１１００を示す。図１１では、コンピュータ１１０２をラップトップコンピュータとして示すが、それはまた、デスクトップコンピュータまたは別のタイプのコンピュータであってもよい。
【００３０】
コンピュータプログラム
図１２は、本発明の実施形態によるコンピュータプログラム１２００を示す。説明した方法を、コンピュータプログラム１２００とともに実施することができる。さらに、コンピュータプログラム１２００を、図９のシステム９００を制御するために使用することができ、その場合、プログラム１２００は図９のコントローラ９１４内に存在してもよい。たとえば、プログラム１２００は、図９のコントローラ９１４の一部としてまたはそれとは異なって図９のシステム９００のファームウェア内に存在してもよい。コンピュータプログラム１２００を、フロッピー（登録商標）ディスク、ＣＤ−ＲＯＭ等の光ディスク等、コンピュータ読取可能媒体に格納してもよい。
【００３１】
図１２では、コンピュータプログラム１２００を、３つのコンポーネント１２０２、１２０４、および１２０６を備えるように示す。これらのコンポーネントの各々を、コンピュータ実行可能命令、モジュール、ルーチンのセット等の別個のセットとして実施してもよい。しかしながら、図１２では、例示を明確にするためにコンポーネントを別々に示す。したがって、それらの個々の機能を結合して１つまたは複数の他のコンポーネントにしてもよく、または同様に異なるコンポーネントのセット間に分散させてもよい。各コンポーネントを、そのそれぞれの機能を実行する手段とみなしてもよい。
【００３２】
レーザ指示コンポーネント１２０２は、レーザに対し、回転する光ディスクのレーベル面から情報を読み取るかまたはそこに情報を書き込むように指示する。特性識別コンポーネント１２０４は、レーザ指示コンポーネント１２０２を使用してレーザによって読み取られた情報から光情報の特性を識別する。書込み禁止コンポーネント１２０６は、レーザ指示コンポーネント１２０２に対してディスクのレーベル面上に書込み禁止フィールドを設定するように命令することにより、光ディスクを書込み禁止にする。
【００３３】
結論
なお、本明細書では特定の実施形態を図示し説明したが、当業者には、示した特定の実施形態を、同じ目的を達成するように意図される任意の構成で置き換えてもよい、ということが理解されよう。本明細書で説明したもの以外の本発明の実施形態の他の適用および使用は、少なくともいくつかの実施形態に合っている。この出願は、本発明の任意の適合または変形を包含することが意図されている。したがって、この発明は、特許請求項とその等価物とによってのみ限定されることが明示的に意図されている。
【図面の簡単な説明】
【００３４】
【図１】本発明のしるし実施形態による方法のフローチャートである。
【図２】本発明の実施形態による、図１の方法の実行を例示的に示す図である。
【図３】本発明の書込み禁止実施形態による方法のフローチャートである。
【図４】本発明の実施形態による、図３の方法の実行を例示的に示す図である。
【図５】本発明の信号反射実施形態による方法のフローチャートである。
【図６】本発明の実施形態による、図５の方法の一部の実行を例示的に示す図である。
【図７】本発明の実施形態による、図５の方法の別の部分の実行を例示的に示す図である。
【図８】本発明の実施形態による、図１、図３、および図５の方法を統合する方法のフローチャートである。
【図９】本発明の実施形態によるシステムの図である。
【図１０】本発明の実施形態をいかにコンピュータに内部的に適合させることができるかを示す図である。
【図１１】本発明の実施形態をいかにコンピュータに外部的に適合させることができるかを示す図である。
【図１２】本発明の実施形態によるコンピュータプログラムの図である。
【符号の説明】
【００３５】
２０２、４０２：光ディスク
２０６：しるし
４０６：一続きの書込み禁止フィールド
【図１】
2005521190.tif 000003
【図２】
2005521190.tif 000004
【図３】
2005521190.tif 000005
【図４】
2005521190.tif 000006
【図５】
2005521190.tif 000007
【図６】
2005521190.tif 000008
【図７】
2005521190.tif 000009
【図８】
2005521190.tif 000010
【図９】
2005521190.tif 000011
【図１０】
2005521190.tif 000012
【図１１】
2005521190.tif 000013
【図１２】
2005521190.tif 000014
【手続補正書】
【提出日】平成16年11月18日(2004.11.18)
【手続補正１】
【補正対象書類名】特許請求の範囲
【補正対象項目名】全文
【補正方法】変更
【補正の内容】
【特許請求の範囲】
【請求項１】
光ディスクのレーベル面上のしるしからの反射信号を、該しるしが存在する場合に検知するステップ（１０２）と、
前記光ディスクのレーベル面上の前記しるしからの前記反射信号に基づいて前記光ディスクのレーベル面の特性を識別するステップ（１０４）であって、該特性は、本質的に、前記ディスクのレーベル面に最適に書き込むためのレーザに関する仕様と、該レーザを前記ディスクのレーベル面の所与の点において、そこに書き込むために作動させるべき時間と、前記ディスクのレーベル面への書込み中に維持されるべき該ディスクの速度と、のうちの少なくとも１つからなる、ステップと、
を含む方法。
【請求項２】
前記光ディスクのレーベル面に前記しるしがない場合、
前記光ディスクのレーベル面からの別の反射信号を検知するステップ（８１４）と、
最初に前記光ディスクのレーベル面にマークを書き込むことなく、前記光ディスクのレーベル面からの前記別の反射信号に基づいて前記光ディスクのレーベル面の特性を識別するステップ（８１６）と、
をさらに含む、請求項１に記載の方法。
【請求項３】
前記光ディスクのレーベル面の特性を、該光ディスクのレーベル面上の前記しるしからの前記反射信号に基づいて識別することができない場合、
前記光ディスクのレーベル面にマークを書き込むステップ（８２０）と、
前記光ディスクのレーベル面からの別の反射信号を検知するステップ（８１４）と、
前記光ディスクのレーベル面に書き込まれた前記マークからの前記別の反射信号に基づいて前記光ディスクのレーベル面の特性を識別するステップ（８１６）と、
をさらに含む、請求項２に記載の方法。
【請求項４】
前記光ディスクのレーベル面にマークを書き込むステップが、ユーザによって偶然に検出されないほど十分に小さくピクセルを書き込むステップを含む、請求項３に記載の方法。
【請求項５】
前記光ディスクのレーベル面にマークを書き込むステップが、前記光ディスクの前記レーベル面の縁にピクセルを書き込むステップを含む、請求項３に記載の方法。
【請求項６】
前記光ディスクのレーベル面にマークを書き込むステップが、前記光ディスクの前記レーベル面に書き込まれるべき任意のイメージを損なわないピクセルを書き込むステップを含む、請求項３に記載の方法。
【請求項７】
最初に、
レーザに面している光ディスクの面が前記レーベル面とデータ面との一方であるか否かを判断するステップ（８０８）と、
前記レーザに面している光ディスクの面が前記データ面であるという判断に応じて（８１０）、エラーがもたらされたと結論を下すステップ（８１２）と、
をさらに含む、請求項１に記載の方法。
【請求項８】
前記レーザに面している光ディスクの面が前記レーベル面とデータ面との一方であるか否かを判断するステップが、前記光ディスクの前記データ面に関連するピットおよびグルーブの検出が、前記レーザに面している光ディスクの前記データ面に対応するように、および、前記光ディスクの前記データ面に関連するピットおよびグループの非検出が、前記レーザに面している光ディスクの前記レーベル面に対応するように、前記光ディスクの前記データ面に関連するピットおよびグルーブを検出するステップを含む、請求項７に記載の方法。
【国際調査報告】
2005521190.tif 000015
2005521190.tif 000016
2005521190.tif 000017